(57)【要約】【課題】  緊急事態が発生したときであっても確実に現在位置を通知させる。【解決手段】  災害情報を受信した携帯電話機は、自機が在圏するセル情報と自機の電話番号とを含む位置情報提供要求メッセージを位置情報提供サーバ１０に送信し、その後、自機が位置する緯度経度情報をＧＰＳから取得して位置情報提供サーバ１０に送信する。位置情報提供サーバ１０の位置情報取得部１２は、受信したセル情報および電話番号を用いて位置情報および提供先電話番号を取得し、位置情報送信部１４は、位置情報に対応する提供メッセージを提供先電話番号に対応する携帯電話機宛に送信する。詳細位置情報取得部１６は、受信した緯度経度情報を用いて詳細位置情報を取得し、詳細位置情報送信部１７は、詳細位置情報に対応する提供メッセージを提供先電話番号に対応する携帯電話機宛に送信する。【選択図】  図２
2008219797.tif 000002
【特許請求の範囲】
【請求項１】
第一の移動通信端末を特定するための第一端末識別情報、および、当該第一の移動通信端末の現在位置情報を当該第一の移動通信端末以外の移動通信端末である第二の移動通信端末に対して提供するように要求する位置情報提供要求情報を受信する受信手段と、
前記受信手段によって受信された前記第一端末識別情報を用いて、予め当該第一端末識別情報に対応付けて登録されている前記第二の移動通信端末を特定するための第二端末識別情報を取得する端末識別情報取得手段と、
前記第一の移動通信端末が在圏する在圏エリア情報を、前記端末識別情報取得手段によって取得された前記第二端末識別情報に対応する移動通信端末宛に送信する在圏エリア情報送信手段と、
前記在圏エリア情報よりも精度の高い位置情報を前記第一の移動通信端末から受信する位置情報受信手段と、
前記位置情報受信手段によって受信された前記位置情報を、前記端末識別情報取得手段によって取得された前記第二端末識別情報に対応する移動通信端末宛に送信する位置情報送信手段と、
を備えることを特徴とする位置情報提供サーバ。
【請求項２】
移動体通信網を介して接続可能な移動通信端末と位置情報提供サーバとを有する位置情報提供システムであって、
前記移動通信端末が、
災害に関する災害情報を受信する災害情報受信手段と、
前記災害情報受信手段よって前記災害情報が受信されたときに、自端末を特定するための第一端末識別情報、および、自端末の現在位置情報を自端末以外の移動通信端末である他端末に対して提供するように要求する位置情報提供要求情報を前記位置情報提供サーバに送信する送信手段と、
前記災害情報受信手段よって前記災害情報が受信されたときに、自端末が在圏する在圏エリア情報よりも精度の高い位置情報を外部から取得する位置情報取得手段と、
前記位置情報取得手段によって取得された前記位置情報を前記位置情報提供サーバに送信する位置情報送信手段と、を備え、
前記位置情報提供サーバが、
前記第一端末識別情報および前記位置情報提供要求情報を受信する受信手段と、
前記受信手段によって受信された前記第一端末識別情報を用いて、予め当該第一端末識別情報に対応付けて登録されている前記他端末を特定するための第二端末識別情報を取得する端末識別情報取得手段と、
前記自端末が在圏する在圏エリア情報を、前記端末識別情報取得手段によって取得された前記第二端末識別情報に対応する移動通信端末宛に送信する在圏エリア情報送信手段と、
前記位置情報を受信する位置情報受信手段と、
前記位置情報受信手段によって受信された前記位置情報を、前記端末識別情報取得手段によって取得された前記第二端末識別情報に対応する移動通信端末宛に送信する位置情報送信手段と、を備える
ことを特徴とする位置情報提供システム。
【請求項３】
位置情報提供サーバが、
第一の移動通信端末を特定するための第一端末識別情報、および、当該第一の移動通信端末の現在位置情報を当該第一の移動通信端末以外の移動通信端末である第二の移動通信端末に対して提供するように要求する位置情報提供要求情報を受信する受信ステップと、
前記受信ステップにおいて受信された前記第一端末識別情報を用いて、予め当該第一端末識別情報に対応付けて登録されている前記第二の移動通信端末を特定するための第二端末識別情報を取得する端末識別情報取得ステップと、
前記第一の移動通信端末が在圏する在圏エリア情報を、前記端末識別情報取得ステップにおいて取得された前記第二端末識別情報に対応する移動通信端末宛に送信する在圏エリア情報送信ステップと、
前記在圏エリア情報よりも精度の高い位置情報を前記第一の移動通信端末から受信する位置情報受信ステップと、
前記位置情報受信ステップにおいて受信された前記位置情報を、前記端末識別情報取得ステップにおいて取得された前記第二端末識別情報に対応する移動通信端末宛に送信する位置情報送信ステップと、
を備えることを特徴とする位置情報提供方法
【請求項４】
災害に関する災害情報を受信する災害情報受信手段と、
前記災害情報受信手段よって前記災害情報が受信されたときに、自端末が在圏する在圏エリア情報を移動体通信網から取得する在圏エリア情報取得手段と、
前記災害情報受信手段よって前記災害情報が受信されたときに、自端末が在圏する在圏エリア情報よりも精度の高い位置情報を外部から取得する位置情報取得手段と、
前記在圏エリア情報取得手段によって取得された前記在圏エリア情報および前記位置情報取得手段によって取得された前記位置情報を、予めメモリに登録されている他端末を特定するための他端末識別情報に対応する移動通信端末宛に送信する送信手段と、
を備えることを特徴とする移動通信端末。
【発明の詳細な説明】
【技術分野】
【０００１】
本発明は、位置情報提供サーバ、位置情報提供システム、位置情報提供方法および移動通信端末に関する。
【背景技術】
【０００２】
従来、登山中に緊急事態が発生した場合に、携帯電話機に搭載されたＧＰＳ機能を用いて測位された現在位置を管理センタに通知するシステムがある（下記特許文献１参照）。従来から、災害等の緊急事態が発生した場合に自分の安否を親族や知人等に知らせたいというニーズが大きい。
【特許文献１】特開２０００−３２５６２号公報
【発明の開示】
【発明が解決しようとする課題】
【０００３】
ところで、従来技術のようにＧＰＳで現在位置を測位する場合には、現在位置の測位に時間を要してしまう。したがって、例えば、地震や台風等の災害が発生した場合には、ＧＰＳで現在位置が測位されたときには、既に移動体通信網等のネットワークが輻輳しており、現在位置を通知することができなくなるおそれもある。
【０００４】
そこで、本発明は、上述した課題を解決するために、緊急事態が発生したときであっても確実に現在位置を通知することができる位置情報提供サーバ、位置情報提供システム、位置情報提供方法および移動通信端末を提供することを目的とする。
【課題を解決するための手段】
【０００５】
本発明の位置情報提供サーバは、第一の移動通信端末を特定するための第一端末識別情報、および、当該第一の移動通信端末の現在位置情報を当該第一の移動通信端末以外の移動通信端末である第二の移動通信端末に対して提供するように要求する位置情報提供要求情報を受信する受信手段と、受信手段によって受信された第一端末識別情報を用いて、予め当該第一端末識別情報に対応付けて登録されている第二の移動通信端末を特定するための第二端末識別情報を取得する端末識別情報取得手段と、第一の移動通信端末が在圏する在圏エリア情報を、端末識別情報取得手段によって取得された第二端末識別情報に対応する移動通信端末宛に送信する在圏エリア情報送信手段と、在圏エリア情報よりも精度の高い位置情報を第一の移動通信端末から受信する位置情報受信手段と、位置情報受信手段によって受信された位置情報を、端末識別情報取得手段によって取得された第二端末識別情報に対応する移動通信端末宛に送信する位置情報送信手段と、を備えることを特徴とする。
【０００６】
また、本発明の位置情報提供システムは、移動体通信網を介して接続可能な移動通信端末と位置情報提供サーバとを有する位置情報提供システムであって、上記移動通信端末が、災害に関する災害情報を受信する災害情報受信手段と、災害情報受信手段よって災害情報が受信されたときに、自端末を特定するための第一端末識別情報、および、自端末の現在位置情報を自端末以外の移動通信端末である他端末に対して提供するように要求する位置情報提供要求情報を位置情報提供サーバに送信する送信手段と、災害情報受信手段よって災害情報が受信されたときに、自端末が在圏する在圏エリア情報よりも精度の高い位置情報を外部から取得する位置情報取得手段と、位置情報取得手段によって取得された位置情報を位置情報提供サーバに送信する位置情報送信手段と、を備え、上記位置情報提供サーバが、第一端末識別情報および位置情報提供要求情報を受信する受信手段と、受信手段によって受信された第一端末識別情報を用いて、予め当該第一端末識別情報に対応付けて登録されている他端末を特定するための第二端末識別情報を取得する端末識別情報取得手段と、上記自端末が在圏する在圏エリア情報を、端末識別情報取得手段によって取得された第二端末識別情報に対応する移動通信端末宛に送信する在圏エリア情報送信手段と、位置情報を受信する位置情報受信手段と、位置情報受信手段によって受信された位置情報を、端末識別情報取得手段によって取得された第二端末識別情報に対応する移動通信端末宛に送信する位置情報送信手段と、を備えることを特徴とする。
【０００７】
さらに、本発明の位置情報提供方法は、位置情報提供サーバが、第一の移動通信端末を特定するための第一端末識別情報、および、当該第一の移動通信端末の現在位置情報を当該第一の移動通信端末以外の移動通信端末である第二の移動通信端末に対して提供するように要求する位置情報提供要求情報を受信する受信ステップと、受信ステップにおいて受信された第一端末識別情報を用いて、予め当該第一端末識別情報に対応付けて登録されている第二の移動通信端末を特定するための第二端末識別情報を取得する端末識別情報取得ステップと、第一の移動通信端末が在圏する在圏エリア情報を、端末識別情報取得ステップにおいて取得された第二端末識別情報に対応する移動通信端末宛に送信する在圏エリア情報送信ステップと、在圏エリア情報よりも精度の高い位置情報を第一の移動通信端末から受信する位置情報受信ステップと、位置情報受信ステップにおいて受信された位置情報を、端末識別情報取得ステップにおいて取得された第二端末識別情報に対応する移動通信端末宛に送信する位置情報送信ステップと、を備えることを特徴とする。
【０００８】
これらの発明によれば、災害発生に伴う位置情報提供要求情報を第一の移動通信端末から受信した場合に、第一の移動通信端末から受信した第一端末識別情報に対応する第二端末識別情報を取得し、この第二端末識別情報に対応する移動通信端末宛に第一の移動通信端末が在圏する在圏エリア情報を送信することができるとともに、在圏エリア情報よりも精度の高い位置情報を第二端末識別情報に対応する移動通信端末宛に送信することができる。このようにすれば、位置情報提供要求情報を受信した場合に、まず、位置情報の割り出しに時間を要しない在圏エリア情報を送信させ、その後、位置情報の割り出しに時間を要する、在圏エリア情報よりも精度の高い位置情報（例えば、緯度経度に対応する位置情報）を送信させることができるため、仮に、在圏エリア情報よりも精度の高い位置情報を測位するのに時間を要してしまい、その間にネットワークが輻輳してしまった場合であっても、在圏エリア情報に対応する位置情報については予め登録された親族や知人の移動通信端末宛に確実に送信させることができる。それゆえに、緊急事態が発生したときであっても確実に現在位置を通知させることができる。
【０００９】
本発明の移動通信端末は、災害に関する災害情報を受信する災害情報受信手段と、災害情報受信手段よって災害情報が受信されたときに、自端末が在圏する在圏エリア情報を移動体通信網から取得する在圏エリア情報取得手段と、災害情報受信手段よって災害情報が受信されたときに、自端末が在圏する在圏エリア情報よりも精度の高い位置情報を外部から取得する位置情報取得手段と、在圏エリア情報取得手段によって取得された在圏エリア情報および位置情報取得手段によって取得された位置情報を、予めメモリに登録されている他端末を特定するための他端末識別情報に対応する移動通信端末宛に送信する送信手段と、を備えることを特徴とする。
【００１０】
この発明によれば、災害発生に関する災害情報を受信した場合に、予め登録されている他端末識別情報に対応する移動通信端末宛に自端末が在圏する在圏エリア情報を送信することができるとともに、在圏エリア情報よりも精度の高い位置情報を他端末識別情報に対応する移動通信端末宛に送信することができる。このようにすれば、災害情報を受信した場合に、まず、位置情報の割り出しに時間を要しない在圏エリア情報を送信させ、その後、位置情報の割り出しに時間を要する、在圏エリア情報よりも精度の高い位置情報（例えば、緯度経度に対応する位置情報）を送信させることができるため、仮に、在圏エリア情報よりも精度の高い位置情報を測位するのに時間を要してしまい、その間にネットワークが輻輳してしまった場合であっても、在圏エリア情報に対応する位置情報については予め登録された親族や知人の移動通信端末宛に確実に送信させることができる。それゆえに、緊急事態が発生したときであっても確実に現在位置を通知させることができる。
【発明の効果】
【００１１】
本発明に係る位置情報提供サーバ、位置情報提供システム、位置情報提供方法および移動通信端末によれば、緊急事態が発生したときであっても確実に現在位置を通知せることができる。
【発明を実施するための最良の形態】
【００１２】
以下、本発明に係る位置情報提供サーバ、位置情報提供システム、位置情報提供方法および移動通信端末の実施形態を図面に基づき説明する。なお、各図において、同一要素には同一符号を付して重複する説明を省略する。
【００１３】
図１は、実施形態における位置情報提供システム１の構成を例示する図である。図１に示すように、位置情報提供システム１は、位置情報提供サーバ１０と、携帯電話機２０と、災害情報配信端末３０とを有する。各装置は、移動体通信網を含む通信回線を介して接続される。
【００１４】
位置情報提供サーバ１０は、位置情報提供サービスを受ける携帯電話機２０Ａからの要求に応じて、当該携帯電話機２０Ａの現在位置情報を、事前に登録されている他の携帯電話機２０Ｂに対して提供するサーバである。ここで、位置情報提供サービスとは、自機の現在位置情報を、事前登録した他の携帯電話機に対して提供するサービスである。位置情報提供サーバ１０は、物理的には、例えば、ＣＰＵ、通信装置、メモリ、入力キー、ディスプレイ等を有している。
【００１５】
携帯電話機２０は、自機が在圏する無線エリアをカバーする基地局（不図示）と無線通信を行い、通話サービスあるいはパケット通信サービスを受ける移動通信端末である。携帯電話機２０は、物理的には、例えば、ＣＰＵ、通信装置、メモリ、ＧＰＳ機構、入力キー、ディスプレイ等を有している。なお、本実施形態における位置情報提供システム１では、移動通信端末の具体例として携帯電話機２０を用いて説明しているが、移動通信端末の具体例はこれに限られず、例えば、簡易型携帯電話機（ＰＨＳ）や通信機能を有する携帯型情報端末（ＰＤＡ）等の移動通信端末であってもよい。
【００１６】
災害情報配信端末３０は、例えば、地震や台風等の災害が発生した場合に、この災害に関する災害情報を、災害による被害が及ぶ地域に在圏する携帯電話機に対して配信するサーバである。災害情報としては、例えば、「１月３１日１０時３０分に東京湾沖を震源とする震度６の地震が発生した」旨を示す情報等が該当する。
【００１７】
次に、図２を参照して位置情報提供サーバ１０の機能構成について説明する。図２に示すように、位置情報提供サーバ１０は、メッセージ受信部１１（受信手段）と、位置情報取得部１２と、提供先識別ＩＤ取得部１３（端末識別情報取得手段）と、位置情報送信部１４（在圏エリア情報送信手段）と、緯度経度情報受信部１５（位置情報受信手段）と、詳細位置情報取得部１６と、詳細位置情報送信部１７（位置情報送信手段）とを有する。また、位置情報提供サーバ１０は、上記提供先識別ＩＤ取得部１３により取得される提供先情報を記憶する提供先情報データベースを備えている。
【００１８】
ここで、図３を参照して、提供先情報データベースのデータ構成について説明する。提供先情報データベースは、データ項目として、例えば、電話番号，提供先電話番号１，提供先電話番号２，・・・を有する。電話番号には、位置情報提供サービスを申し込んだユーザが所持する携帯電話機（以下、提供元端末という。）を一意に特定するためのＩＤが格納される。提供先電話番号１，提供先電話番号２，・・・には、提供元端末のユーザによって自身の現在位置情報を提供する相手先として登録された携帯電話機（以下、提供先端末という。）を一意に特定するためのＩＤが格納される。
【００１９】
図２に示すメッセージ受信部１１は、提供元端末（第一の移動通信端末，自端末）が在圏するセルに関するセル情報と、この提供元端末を特定するための電話番号（第一端末識別情報）とを含む位置情報提供要求メッセージ（位置情報提供要求情報）を受信する。位置情報提供要求メッセージは、提供元端末の現在位置情報を提供先端末（第二の移動通信端末，他端末）に対して提供するように要求するためのメッセージであり、提供元端末から送信される。なお、セル情報と電話番号は、必ずしも位置情報提供要求メッセージに含まれている必要はなく、それぞれが対応付けられていれば個別に送信されることとしてもよい。また、セル情報は、必ずしも提供元端末から送信される必要はなく、例えば、携帯電話機が在圏する位置を管理している移動体通信網から取得することとしてもよい。この場合には、提供元端末の電話番号を移動体通信網に送信することによって、この電話番号に対応するセル情報を取得することができる。さらに、提供元端末の在圏情報はセル情報に限定する必要はなく、例えば、基地局情報等の在圏エリア情報であればよい。
【００２０】
位置情報取得部１２は、メッセージ受信部１１によって受信されたセル情報を用いて、このセル情報に対応付けて登録されている位置情報を取得する。ここで、位置情報取得部１２は、セル情報と位置情報とを対応付けて登録しているデータベースからセル情報を検索キーにして抽出された位置情報を取得する。位置情報の取得先は、セル情報と位置情報とを対応付けて登録しているデータベースを備えている装置であればよく、位置情報提供サーバ１０であってもよいし、外部のサーバであってもよい。本実施形態では、移動体通信網の位置情報管理サーバ（不図示）から位置情報を取得することとする。なお、位置情報としては、例えば、赤坂、銀座、新宿等、セル単位で特定可能なエリア名称等が該当する。
【００２１】
提供先識別ＩＤ取得部１３は、メッセージ受信部１１によって受信された提供元端末の電話番号を用いて、この提供元端末の電話番号に対応付けて登録されている提供先端末の電話番号（第二端末識別情報）を取得する。ここで、提供先識別ＩＤ取得部１３は、提供元端末の電話番号を検索キーにして上述した提供先情報データベースから提供先電話番号を抽出することで、提供先端末の電話番号を取得する。なお、提供先情報データベースは、必ずしも位置情報提供サーバ１０に備えられている必要はなく、外部のサーバに備えられていてもよい。
【００２２】
位置情報送信部１４は、位置情報取得部１２によって取得された位置情報に対応する提供メッセージを、提供先識別ＩＤ取得部１３によって取得された提供先端末の電話番号に対応する携帯電話機宛に送信する。この場合の提供メッセージとしては、例えば、「○○さんは、現在赤坂エリアにいます。」旨のメッセージが該当する。
【００２３】
緯度経度情報受信部１５は、提供元端末が位置する緯度経度に関する緯度経度情報（在圏エリア情報であるセル情報よりも精度の高い位置情報）を受信する。この緯度経度情報は、提供元端末から送信される。
【００２４】
詳細位置情報取得部１６は、緯度経度情報受信部１５によって受信された緯度経度情報を用いて、この緯度経度情報に対応付けて登録されている詳細位置情報を取得する。ここで、詳細位置情報取得部１６は、緯度経度情報と詳細位置情報とを対応付けて登録しているデータベースから緯度経度情報を検索キーにして抽出された詳細位置情報を取得する。詳細位置情報の取得先は、緯度経度情報と詳細位置情報とを対応付けて登録しているデータベースを備えている装置であればよく、位置情報提供サーバ１０であってもよいし、外部のサーバであってもよい。本実施形態では、移動体通信網の地図情報管理サーバ（不図示）から位置情報を取得することとする。なお、詳細位置情報としては、例えば、赤坂１丁目１番地、銀座２丁目１番地、新宿３丁目１番地等、ＧＰＳで特定可能な住所等が該当する。
【００２５】
詳細位置情報送信部１７は、詳細位置情報取得部１６によって取得された詳細位置情報に対応する提供メッセージを、提供先識別ＩＤ取得部１３によって取得された提供先端末の電話番号に対応する携帯電話機宛に送信する。この場合の提供メッセージとしては、例えば、「○○さんは、現在赤坂１丁目１番地にいます。」旨のメッセージが該当する。
【００２６】
次に、図４を参照して携帯電話機２０の機能構成について説明する。図４に示すように、携帯電話機２０は、災害情報受信部２１（災害情報受信手段）と、セル情報取得部２２と、セル情報送信部２３（送信手段）と、緯度経度情報取得部２４（位置情報取得手段）と、緯度経度情報送信部２５（位置情報送信手段）とを有する。
【００２７】
災害情報受信部２１は、災害情報配信端末３０から配信された災害情報を受信する。
【００２８】
セル情報取得部２２は、災害情報受信部２１によって災害情報が受信されたときに、自機が在圏しているセル情報を移動体通信網から取得する。
【００２９】
セル情報送信部２３は、セル情報取得部２２によって取得されたセル情報と、自機を特定するための提供元端末の電話番号とを含む位置情報提供要求メッセージを位置情報提供サーバ１０に送信する。
【００３０】
緯度経度情報取得部２４は、災害情報受信部２１よって災害情報が受信されたときに、自機が位置する緯度経度情報をＧＰＳから取得する。
【００３１】
緯度経度情報送信部２５は、緯度経度情報取得部２４によって取得された緯度経度情報を位置情報提供サーバ１０に送信する。
【００３２】
なお、上述したセル情報取得部２２および緯度経度情報取得部２４は、災害情報が受信されたときにセル情報および緯度経度情報を取得しているが、これらの情報を取得する方法はこれに限定されない。例えば、災害情報の緊急度に応じて取得することとしてもよい。この場合には、例えば、災害情報に緊急性の度合を示すフラグを設け、このフラグの内容が緊急性の高いものである場合に、セル情報および緯度経度情報を取得することとしてもよい。
【００３３】
次に、図５を参照して、本実施形態における位置情報提供システムで実行される位置情報提供処理の流れについて説明する。ここで、本処理では、図１に示す携帯電話機２０Ａが提供元端末として機能し、携帯電話機２０Ｂが提供先端末として機能する場合を一例にして説明することにする。
【００３４】
まず、災害の発生に起因して災害情報配信端末３０で災害情報の配信操作が行われる（ステップＳ１）と、災害の及ぶ地域に在圏する携帯電話機２０Ａに対して災害情報が送信される（ステップＳ２）。これにより、携帯電話機２０Ａの災害情報受信部２１は、災害情報を受信することになる。
【００３５】
次に、携帯電話機２０Ａのセル情報取得部２２は、自機が在圏しているセル情報を移動体通信網から取得する（ステップＳ３）。
【００３６】
次に、携帯電話機２０Ａのセル情報送信部２３は、セル情報取得部２２によって取得されたセル情報と、携帯電話機２０Ａの電話番号とを含む位置情報提供要求メッセージを位置情報提供サーバ１０に送信する（ステップＳ４）。これにより、位置情報提供サーバ１０のメッセージ受信部１１は、位置情報提供要求メッセージを受信することになる。
【００３７】
次に、位置情報提供サーバ１０の位置情報取得部１２は、メッセージ受信部１１によって受信されたセル情報を用いて、このセル情報に対応付けて登録されている位置情報を位置情報管理サーバから取得する（ステップＳ６）。
【００３８】
次に、位置情報提供サーバ１０の提供先識別ＩＤ取得部１３は、メッセージ受信部１１によって受信された携帯電話機２０Ａの電話番号を用いて、この携帯電話機２０Ａの電話番号に対応付けて登録されている提供先電話番号を提供先情報データベースから抽出する。これにより、提供先識別ＩＤ取得部１３は、提供先電話番号を取得することになる（ステップＳ６）。
【００３９】
次に、位置情報提供サーバ１０の位置情報送信部１４は、位置情報取得部１２によって取得された位置情報に対応する提供メッセージを、提供先識別ＩＤ取得部１３によって取得された提供先電話番号に対応する携帯電話機２０Ｂ宛に送信する（ステップＳ７）。ここで送信される提供メッセージの内容としては、例えば、「○○さんは、現在赤坂エリアにいます。」が該当する。
【００４０】
一方、上述したステップＳ２で災害情報が受信されると、携帯電話機２０Ａの緯度経度情報取得部２４は、自機が位置する緯度経度情報をＧＰＳから取得する（ステップＳ８）。
【００４１】
次に、携帯電話機２０Ａの緯度経度情報送信部２５は、緯度経度情報取得部２４によって取得された緯度経度情報を位置情報提供サーバ１０に送信する（ステップＳ９）。これにより、位置情報提供サーバ１０の緯度経度情報受信部１５は、緯度経度情報を受信することになる。
【００４２】
次に、位置情報提供サーバ１０の詳細位置情報取得部１６は、緯度経度情報受信部１５によって受信された緯度経度情報を用いて、この緯度経度情報に対応付けて登録されている詳細位置情報を地図情報管理サーバから取得する（ステップＳ１０）。
【００４３】
次に、位置情報提供サーバ１０の詳細位置情報送信部１７は、詳細位置情報取得部１６によって取得された詳細位置情報に対応する提供メッセージを、提供先識別ＩＤ取得部１３によって取得された提供先電話番号に対応する携帯電話機２０Ｂ宛に送信する（ステップＳ１１）。ここで送信される提供メッセージの内容としては、例えば、「○○さんは、現在赤坂１丁目１番地にいます。」が該当する。
【００４４】
以上のように、本実施形態における位置情報提供システムによれば、災害発生に伴う位置情報提供要求メッセージを提供元端末から受信した場合に、提供元端末から受信したセル情報および提供元端末の電話番号にそれぞれ対応する位置情報および提供先端末の電話番号を取得させ、この提供先端末の電話番号に対応する携帯電話機宛に提供元端末の現在位置情報を送信させることができるとともに、提供元端末から受信した緯度経度情報に対応する詳細位置情報を取得させて、この詳細位置情報を提供先端末の電話番号に対応する携帯電話機宛に送信させることができる。
【００４５】
このようにすれば、位置情報提供要求メッセージを受信した場合に、まず、位置情報の割り出しに時間を要しないセル情報に対応する位置情報を送信させ、その後、位置情報の割り出しに時間を要する緯度経度に対応する詳細位置情報を送信させることができるため、仮に、緯度経度を測位するのに時間を要してしまい、その間にネットワークが輻輳してしまった場合であっても、セル情報に対応する位置情報については予め登録された親族や知人の携帯電話機宛に確実に送信させることができる。それゆえに、緊急事態が発生したときであっても確実に現在位置を通知させることができる。
【００４６】
なお、上述した実施形態においては、提供先端末に関する情報を位置情報提供サーバ１０で管理しているが、提供先端末に関する情報を提供元端末で管理することとしてもよい。この変形例では、例えば、提供元端末の現在位置情報を提供する相手先のメールアドレスである提供先メールアドレス（他端末識別情報）を、提供元端末のメモリに登録すればよい。
【００４７】
ここで、本変形例における携帯電話機２０の機能構成のうち、上述した実施形態における携帯電話機２０の機能構成と異なる点について以下に説明する。なお、本変形例においては、上述した実施形態における位置情報提供サーバ１０は不要となる。
【００４８】
本変形例におけるセル情報送信部２３（送信手段）は、セル情報取得部２２（在圏エリア情報取得手段）によって取得されたセル情報に対応する提供メッセージを、自機のメモリに登録されている提供先メールアドレス宛に送信する。この場合の提供メッセージとしては、例えば、「○○は、現在赤坂エリアにいます。」旨のメッセージや、「○○の現在位置をお知らせします。以下のＵＲＬから地図サーバに接続してください。」旨のメッセージが該当する。ここで、セル情報送信部２３は、例えば、セル情報取得部２２によって取得されたセル情報を用いて、移動体通信網の地図サーバから、このセル情報に対応する現在位置情報や、このセル情報に対応する地図情報のＵＲＬを取得すればよい。
【００４９】
本変形例における緯度経度情報送信部２５（送信手段）は、緯度経度情報取得部２４（位置情報取得手段）によって取得された緯度経度情報に対応する提供メッセージを、自機のメモリに登録されている提供先メールアドレス宛に送信する。この場合の提供メッセージとしては、例えば、「○○は、現在赤坂１丁目１番地にいます。」旨のメッセージや、「○○の現在位置をお知らせします。以下のＵＲＬから地図サーバに接続してください。」旨のメッセージが該当する。ここで、緯度経度情報送信部２５は、例えば、緯度経度情報取得部２４によって取得された緯度経度情報を用いて、移動体通信網の地図サーバから、この緯度経度情報に対応する現在位置情報や、この緯度経度情報に対応する地図情報のＵＲＬを取得すればよい。
【００５０】
本変形例における携帯電話機によれば、災害情報を受信した場合に、予めメモリに提供先メールアドレスが登録されている携帯電話機宛に、提供元端末のセル情報に対応する現在位置情報を含むメールと、提供元端末の緯度経度情報に対応する現在位置情報を含むメールとを送信させることができる。
【図面の簡単な説明】
【００５１】
【図１】発明の実施形態における位置情報提供システムのシステム構成を例示する図である。
【図２】図１に示す位置情報提供サーバの機能構成を例示する図である。
【図３】図１に示す携帯電話機の機能構成を例示する図である。
【図４】提供先情報データベースのデータ構成を例示する図である。
【図５】位置情報提供処理の流れを説明するためのシーケンス図である。
【符号の説明】
【００５２】
１・・・位置情報提供システム、１０・・・位置情報提供サーバ、１１・・・メッセージ受信部、１２・・・位置情報取得部、１３・・・提供先識別ＩＤ取得部、１４・・・位置情報送信部、１５・・・緯度経度情報受信部、１６・・・詳細位置情報取得部、１７・・・詳細位置情報送信部、２０・・・携帯電話機、２１・・・災害情報受信部、２２・・・セル情報取得部、２３・・・セル情報送信部、２４・・・緯度経度情報取得部、２５・・・緯度経度情報送信部、３０・・・災害情報配信端末。
【図１】
2008219797.tif 000003
【図２】
2008219797.tif 000004
【図３】
2008219797.tif 000005
【図４】
2008219797.tif 000006
【図５】
2008219797.tif 000007